(57)【要約】【課題】  携帯電話端末を紛失等した場合に不正使用を防止するためネットワークを通じて端末を使用不能とする携帯電話端末システム、携帯電話端末不正使用防止方法、及び携帯電話端末不正使用防止プログラムを提供する。【解決手段】  非接触ＩＣタグ内蔵携帯電話１０の紛失、盗難時に、ユーザは非接触ＩＣタグ内蔵携帯電話１０と１対１に対応するＩＤ情報を持つ非接触ＩＣタグカード２０を読み取らせ、携帯電話管理サーバ５０は該ＩＤ情報に基づいて紛失等した非接触ＩＣタグ内蔵携帯電話１０の発信を制限し、かつ非接触ＩＣタグ内蔵携帯電話１０をロック状態へ遷移させることにより、紛失等した非接触ＩＣタグ内蔵携帯電話１０の第三者による不正使用や個人情報漏洩の防止をより迅速に行うことができる。特に、非接触ＩＣタグリーダ３０が街中の携帯電話販売店や駅構内に設置されることにより、その効果を飛躍的に向上させることができる。【選択図】  図１
2006279572.tif 000002
【特許請求の範囲】
【請求項１】
携帯通信端末と、前記携帯通信端末の識別情報を記憶する非接触ＩＣタグカードと、前記非接触ＩＣタグカードから前記識別情報を読み出す非接触ＩＣタグカードリーダと、ネットワークに接続された情報処理端末と、前記携帯通信端末のセキュリティ管理を行う管理サーバと、前記携帯通信端末の接続を制御する基地局とを有する携帯電話端末システムにおいて、
前記管理サーバは、前記携帯通信端末の管理情報を記憶する記憶手段を有し、
前記非接触ＩＣカードリーダによって読み出された前記識別情報を前記情報処理端末から受信したとき、前記管理サーバは、前記記憶手段によって記憶された前記識別情報ごとの前記管理情報に基づいて前記基地局における前記携帯通信端末への接続、及び前記携帯通信端末の操作のロック／ロック解除を制御することを特徴とする携帯電話端末システム。
【請求項２】
前記管理サーバは、前記携帯通信端末の操作をロックするとき、前記携帯通信端末が保持するデータをバックアップすることを特徴とする請求項１記載の携帯電話端末システム。
【請求項３】
前記管理サーバは、前記携帯通信端末の操作をロック解除するとき、前記データを前記携帯通信端末に復旧させることを特徴とする請求項２記載の携帯電話端末システム。
【請求項４】
前記管理情報は、前記携帯通信端末の操作がロックされているか否かを示すステータス、及びバックアップされた前記データのリンクを有することを特徴とする請求項１から３のいずれか１項記載の携帯電話端末システム。
【請求項５】
第１の携帯通信端末と、前記携帯通信端末の識別情報を記憶する非接触ＩＣタグカードと、ネットワークに接続された第２の携帯通信端末と、前記携帯通信端末のセキュリティ管理を行う管理サーバと、前記携帯通信端末の接続を制御する基地局とを有する携帯電話端末システムにおいて、
前記管理サーバは、前記携帯通信端末の管理情報を記憶する記憶手段を有し、
前記第２の携帯通信端末によって読み出された前記識別情報を受信したとき、前記管理サーバは、前記記憶手段によって記憶された前記識別情報ごとの前記管理情報に基づいて前記基地局における前記第１の携帯通信端末への接続、及び前記携帯通信端末の操作のロック／ロック解除を制御することを特徴とする携帯電話端末システム。
【請求項６】
前記管理サーバは、前記第１の携帯通信端末の操作をロックするとき、前記第１の携帯通信端末が保持するデータをバックアップすることを特徴とする請求項５記載の携帯電話端末システム。
【請求項７】
前記管理サーバは、前記携帯通信端末の操作をロック解除するとき、前記データを前記携帯通信端末に復旧させることを特徴とする請求項６記載の携帯電話端末システム。
【請求項８】
前記管理情報は、前記携帯通信端末の操作がロックされているか否かを示すステータス、及びバックアップされた前記データのリンクを有することを特徴とする請求項５から７のいずれか１項記載の携帯電話端末システム。
【請求項９】
携帯通信端末と、前記携帯通信端末の識別情報を記憶する非接触ＩＣタグカードと、前記非接触ＩＣタグカードから前記識別情報を読み出す非接触ＩＣタグカードリーダと、ネットワークに接続された情報処理端末と、前記携帯通信端末のセキュリティ管理を行う管理サーバと、前記携帯通信端末の接続を制御する基地局と、前記管理サーバは、前記携帯通信端末の管理情報を記憶する記憶手段とを有する携帯電話端末システムの携帯電話端末不正使用防止方法であって、
前記非接触ＩＣカードリーダによって読み出された前記識別情報を前記情報処理端末から受信したとき、前記管理サーバは、前記記憶手段によって記憶された前記識別情報ごとの前記管理情報に基づいて前記基地局における前記携帯通信端末への接続、及び前記携帯通信端末の操作のロック／ロック解除を制御する工程を有することを特徴とする携帯電話端末不正使用防止方法。
【請求項１０】
前記管理サーバは、前記携帯通信端末の操作をロックするとき、前記携帯通信端末が保持するデータをバックアップする工程を有することを特徴とする請求項９記載の携帯電話端末不正使用防止方法。
【請求項１１】
前記管理サーバは、前記携帯通信端末の操作をロック解除するとき、前記データを前記携帯通信端末に復旧させる工程を有することを特徴とする請求項１０記載の携帯電話端末不正使用防止方法。
【請求項１２】
前記管理情報は、前記携帯通信端末の操作がロックされているか否かを示すステータス、及びバックアップされた前記データのリンクを有することを特徴とする請求項９から１１のいずれか１項記載の携帯電話端末不正使用防止方法。
【請求項１３】
第１の携帯通信端末と、前記携帯通信端末の識別情報を記憶する非接触ＩＣタグカードと、ネットワークに接続された第２の携帯通信端末と、前記携帯通信端末のセキュリティ管理を行う管理サーバと、前記携帯通信端末の接続を制御する基地局と、前記管理サーバは、前記携帯通信端末の管理情報を記憶する記憶手段とを有する携帯電話端末システムの携帯電話端末不正使用防止方法であって、
前記第２の携帯通信端末によって読み出された前記識別情報を受信したとき、前記管理サーバは、前記記憶手段によって記憶された前記識別情報ごとの前記管理情報に基づいて前記基地局における前記第１の携帯通信端末への接続、及び前記携帯通信端末の操作のロック／ロック解除を制御する工程を有することを特徴とする携帯電話端末不正使用防止方法。
【請求項１４】
前記管理サーバは、前記第１の携帯通信端末の操作をロックするとき、前記第１の携帯通信端末が保持するデータをバックアップする工程を有することを特徴とする請求項１３記載の携帯電話端末不正使用防止方法。
【請求項１５】
前記管理サーバは、前記携帯通信端末の操作をロック解除するとき、前記データを前記携帯通信端末に復旧させる工程を有することを特徴とする請求項１４記載の携帯電話端末不正使用防止方法。
【請求項１６】
前記管理情報は、前記携帯通信端末の操作がロックされているか否かを示すステータス、及びバックアップされた前記データのリンクを有することを特徴とする請求項１３から１５のいずれか１項記載の携帯電話端末不正使用防止方法。
【請求項１７】
携帯通信端末と、前記携帯通信端末の識別情報を記憶する非接触ＩＣタグカードと、前記非接触ＩＣタグカードから前記識別情報を読み出す非接触ＩＣタグカードリーダと、ネットワークに接続された情報処理端末と、前記携帯通信端末のセキュリティ管理を行う管理サーバと、前記携帯通信端末の接続を制御する基地局と、前記管理サーバは、前記携帯通信端末の管理情報を記憶する記憶手段とを有する携帯電話端末システムの携帯電話端末不正使用防止プログラムであって、
前記非接触ＩＣカードリーダによって読み出された前記識別情報を前記情報処理端末から受信したとき、前記管理サーバは、前記記憶手段によって記憶された前記識別情報ごとの前記管理情報に基づいて前記基地局における前記携帯通信端末への接続、及び前記携帯通信端末の操作のロック／ロック解除を制御する処理を有することを特徴とする携帯電話端末不正使用防止プログラム。
【請求項１８】
前記管理サーバは、前記携帯通信端末の操作をロックするとき、前記携帯通信端末が保持するデータをバックアップする処理を有することを特徴とする請求項１７記載の携帯電話端末不正使用防止プログラム。
【請求項１９】
前記管理サーバは、前記携帯通信端末の操作をロック解除するとき、前記データを前記携帯通信端末に復旧させる処理を有することを特徴とする請求項１８記載の携帯電話端末不正使用防止プログラム。
【請求項２０】
前記管理情報は、前記携帯通信端末の操作がロックされているか否かを示すステータス、及びバックアップされた前記データのリンクを有することを特徴とする請求項１７から１９のいずれか１項記載の携帯電話端末不正使用防止プログラム。
【請求項２１】
第１の携帯通信端末と、前記携帯通信端末の識別情報を記憶する非接触ＩＣタグカードと、ネットワークに接続された第２の携帯通信端末と、前記携帯通信端末のセキュリティ管理を行う管理サーバと、前記携帯通信端末の接続を制御する基地局と、前記管理サーバは、前記携帯通信端末の管理情報を記憶する記憶手段とを有する携帯電話端末システムの携帯電話端末不正使用防止プログラムであって、
前記第２の携帯通信端末によって読み出された前記識別情報を受信したとき、前記管理サーバは、前記記憶手段によって記憶された前記識別情報ごとの前記管理情報に基づいて前記基地局における前記第１の携帯通信端末への接続、及び前記携帯通信端末の操作のロック／ロック解除を制御する処理を有することを特徴とする携帯電話端末不正使用防止プログラム。
【請求項２２】
前記管理サーバは、前記第１の携帯通信端末の操作をロックするとき、前記第１の携帯通信端末が保持するデータをバックアップする処理を有することを特徴とする請求項２１記載の携帯電話端末不正使用防止プログラム。
【請求項２３】
前記管理サーバは、前記携帯通信端末の操作をロック解除するとき、前記データを前記携帯通信端末に復旧させる処理を有することを特徴とする請求項２２記載の携帯電話端末不正使用防止プログラム。
【請求項２４】
前記管理情報は、前記携帯通信端末の操作がロックされているか否かを示すステータス、及びバックアップされた前記データのリンクを有することを特徴とする請求項２１から２３のいずれか１項記載の携帯電話端末不正使用防止プログラム。
【発明の詳細な説明】
【技術分野】
【０００１】
本発明は、携帯電話端末を紛失等した場合に不正使用を防止するためネットワークを通じて端末を使用不能とする携帯電話端末システム、携帯電話端末不正使用防止方法、及び携帯電話端末不正使用防止プログラムに関する。
【背景技術】
【０００２】
近年、携帯電話端末が世の中に普及しつつあるが、携帯電話端末のセキュリティ確保については発展途上段階にある。従来、携帯電話端末の紛失又は盗難にあった場合に、第三者による携帯電話端末の不正使用や、該携帯電話端末からの個人情報の漏洩を防ぐ方法として以下の方法が用いられていた。
【０００３】
第１の方法としては、紛失した携帯電話端末に対して遠隔指示（コマンド／キーワードメール、特定の電話機等からの着信など）を行うことにより、紛失した携帯電話端末を制御（操作キーのロック指示、発着信履歴／電話帳情報のバックアップ／消去指示など）する方法がある。
【０００４】
第２の方法としては、個人認証機能を携帯電話端末自体に装備することにより、該携帯電話端末の使用をＩＤ／パスワード、生体認証などにより制限する方法がある。
【０００５】
特許文献１では、荷受人宅に居る人が荷物を受け取った場合の受領証明を受け取った個人の所有になる携帯電話機の番号、受け取った荷物の受け付けコードを配送管理サーバへ電子メールで送信することにより行うことで、印鑑を使用せずに、簡便に受領証明を行うことができる配送システムが提案されている。
【０００６】
特許文献２では、紛失または盗難された無線携帯端末をロック状態（使用不可能な状態）とすることにより、ネットワークへの不正なアクセスや内部データの参照を防止し、第三者によって取得された無線携帯端末が不正使用される前に所有者から無線ネットワークを通じて携帯端末にその旨を通知することにより、携帯端末をロック状態する無線携帯端末システムにおける無線携帯端末不正使用防止方法が提案されている。
【０００７】
特許文献３では、携帯通信端末固有の識別情報を微弱な電波により送信する携帯通信端末と、セキュリティ管理を行う携帯通信端末と同じ固有記号が登録され、この登録された固有記号と同じ固有記号の携帯通信端末をセキュリティ管理する、微弱な電波の受信機能を備えた警報発生装置とを有し、警報発生装置がセキュリティ管理を行う携帯通信端末から微弱な電波により送信される固有記号を受信できない状態になると警報を発生する携帯通信端末のセキュリティシステムが提案されている。
【特許文献１】特開２００２−３１６７２２号公報
【特許文献２】特開平８−２５１６６０号公報
【特許文献３】特開平１１−２８９３８１号公報
【発明の開示】
【発明が解決しようとする課題】
【０００８】
しかし、上記の発明は以下の問題を有している。
【０００９】
従来の方法によれば、ユーザによるコマンド／キーワードメール、特定の電話機の電話番号、ＩＤ／パスワード、生体情報などを事前に登録・設定しておく必要があり、その作業が煩わしいこと、登録・設定内容の忘却、確認作業の手間、生体情報を登録することへの心理的抵抗感や照合精度の低さの問題などがある。
【００１０】
また、特許文献１記載の配送システムは、携帯電話機の番号など携帯電話機を識別する情報を記録媒体に記録しておくことにより、配送確認等のメールの送受信を行っているが、配送管理サーバが携帯電話機の通信を制限し、第三者による該携帯電話機の使用を禁止することはできない。
【００１１】
特許文献２記載の無線携帯端末における不正使用に対するネットワークを介した防止方法は、紛失または盗難された無線携帯端末をロック状態（使用不可能な状態）とすることにより、ネットワークへの不正なアクセスや内部データの参照を防止し、かつ第三者によって取得された無線携帯端末が不正使用を防止しているが、情報センタは無線携帯端末に含まれるデータを消去するため、ユーザが再び該無線携帯端末に格納されていたデータ等を参照することはできない。
【００１２】
特許文献３記載の携帯通信端末のセキュリティシステムは、警報発生装置がセキュリティ管理を行う携帯通信端末から微弱な電波を受け取ることにより、常に該携帯通信端末の状態を監視している必要がある。
【００１３】
そこで、本発明は、携帯電話の紛失、盗難時に、ユーザは携帯電話と１対１に対応するＩＤ情報を持つ非接触ＩＣタグカードを読み取らせ、管理サーバは該ＩＤ情報に基づいて紛失等した携帯電話の発信を制限し、かつ携帯電話をロック状態へ遷移させることにより、紛失等した携帯電話の第三者による不正使用や個人情報漏洩を防止することができる携帯電話端末システムを提案することを目的としている。
【課題を解決するための手段】
【００１４】
請求項１記載の発明は、携帯通信端末と、前記携帯通信端末の識別情報を記憶する非接触ＩＣタグカードと、前記非接触ＩＣタグカードから前記識別情報を読み出す非接触ＩＣタグカードリーダと、ネットワークに接続された情報処理端末と、前記携帯通信端末のセキュリティ管理を行う管理サーバと、前記携帯通信端末の接続を制御する基地局とを有する携帯電話端末システムにおいて、前記管理サーバは、前記携帯通信端末の管理情報を記憶する記憶手段を有し、前記非接触ＩＣカードリーダによって読み出された前記識別情報を前記情報処理端末から受信したとき、前記管理サーバは、前記記憶手段によって記憶された前記識別情報ごとの前記管理情報に基づいて前記基地局における前記携帯通信端末への接続、及び前記携帯通信端末の操作のロック／ロック解除を制御することを特徴とする。
【００１５】
請求項２記載の発明は、請求項１記載の携帯電話端末システムにおいて、前記管理サーバは、前記携帯通信端末の操作をロックするとき、前記携帯通信端末が保持するデータをバックアップすることを特徴とする。
【００１６】
請求項３記載の発明は、請求項２記載の携帯電話端末システムにおいて、前記管理サーバは、前記携帯通信端末の操作をロック解除するとき、前記データを前記携帯通信端末に復旧させることを特徴とする。
【００１７】
請求項４記載の発明は、請求項１から３のいずれか１項記載の携帯電話端末システムにおいて、前記管理情報は、前記携帯通信端末の操作がロックされているか否かを示すステータス、及びバックアップされた前記データのリンクを有することを特徴とする。
【００１８】
請求項５記載の発明は、第１の携帯通信端末と、前記携帯通信端末の識別情報を記憶する非接触ＩＣタグカードと、ネットワークに接続された第２の携帯通信端末と、前記携帯通信端末のセキュリティ管理を行う管理サーバと、前記携帯通信端末の接続を制御する基地局とを有する携帯電話端末システムにおいて、前記管理サーバは、前記携帯通信端末の管理情報を記憶する記憶手段を有し、前記第２の携帯通信端末によって読み出された前記識別情報を受信したとき、前記管理サーバは、前記記憶手段によって記憶された前記識別情報ごとの前記管理情報に基づいて前記基地局における前記第１の携帯通信端末への接続、及び前記携帯通信端末の操作のロック／ロック解除を制御することを特徴とする。
【００１９】
請求項６記載の発明は、請求項５記載の携帯電話端末システムにおいて、前記管理サーバは、前記第１の携帯通信端末の操作をロックするとき、前記第１の携帯通信端末が保持するデータをバックアップすることを特徴とする。
【００２０】
請求項７記載の発明は、請求項６記載の携帯電話端末システムにおいて、前記管理サーバは、前記携帯通信端末の操作をロック解除するとき、前記データを前記携帯通信端末に復旧させることを特徴とする。
【００２１】
請求項８記載の発明は、請求項５から７のいずれか１項記載の携帯電話端末システムにおいて、前記管理情報は、前記携帯通信端末の操作がロックされているか否かを示すステータス、及びバックアップされた前記データのリンクを有することを特徴とする。
【００２２】
請求項９記載の発明は、携帯通信端末と、前記携帯通信端末の識別情報を記憶する非接触ＩＣタグカードと、前記非接触ＩＣタグカードから前記識別情報を読み出す非接触ＩＣタグカードリーダと、ネットワークに接続された情報処理端末と、前記携帯通信端末のセキュリティ管理を行う管理サーバと、前記携帯通信端末の接続を制御する基地局と、前記管理サーバは、前記携帯通信端末の管理情報を記憶する記憶手段とを有する携帯電話端末システムの携帯電話端末不正使用防止方法であって、前記非接触ＩＣカードリーダによって読み出された前記識別情報を前記情報処理端末から受信したとき、前記管理サーバは、前記記憶手段によって記憶された前記識別情報ごとの前記管理情報に基づいて前記基地局における前記携帯通信端末への接続、及び前記携帯通信端末の操作のロック／ロック解除を制御する工程を有することを特徴とする。
【００２３】
請求項１０記載の発明は、請求項９記載の携帯電話端末不正使用防止方法において、前記管理サーバは、前記携帯通信端末の操作をロックするとき、前記携帯通信端末が保持するデータをバックアップする工程を有することを特徴とする。
【００２４】
請求項１１記載の発明は、請求項１０記載の携帯電話端末不正使用防止方法において、前記管理サーバは、前記携帯通信端末の操作をロック解除するとき、前記データを前記携帯通信端末に復旧させる工程を有することを特徴とする。
【００２５】
請求項１２記載の発明は、請求項９から１１のいずれか１項記載の携帯電話端末不正使用防止方法において、前記管理情報は、前記携帯通信端末の操作がロックされているか否かを示すステータス、及びバックアップされた前記データのリンクを有することを特徴とする。
【００２６】
請求項１３記載の発明は、第１の携帯通信端末と、前記携帯通信端末の識別情報を記憶する非接触ＩＣタグカードと、ネットワークに接続された第２の携帯通信端末と、前記携帯通信端末のセキュリティ管理を行う管理サーバと、前記携帯通信端末の接続を制御する基地局と、前記管理サーバは、前記携帯通信端末の管理情報を記憶する記憶手段とを有する携帯電話端末システムの携帯電話端末不正使用防止方法であって、前記第２の携帯通信端末によって読み出された前記識別情報を受信したとき、前記管理サーバは、前記記憶手段によって記憶された前記識別情報ごとの前記管理情報に基づいて前記基地局における前記第１の携帯通信端末への接続、及び前記携帯通信端末の操作のロック／ロック解除を制御する工程を有することを特徴とする。
【００２７】
請求項１４記載の発明は、請求項１３記載の携帯電話端末不正使用防止方法において、前記管理サーバは、前記第１の携帯通信端末の操作をロックするとき、前記第１の携帯通信端末が保持するデータをバックアップする工程を有することを特徴とする。
【００２８】
請求項１５記載の発明は、請求項１４記載の携帯電話端末不正使用防止方法において、前記管理サーバは、前記携帯通信端末の操作をロック解除するとき、前記データを前記携帯通信端末に復旧させる工程を有することを特徴とする。
【００２９】
請求項１６記載の発明は、請求項１３から１５のいずれか１項記載の携帯電話端末不正使用防止方法において、前記管理情報は、前記携帯通信端末の操作がロックされているか否かを示すステータス、及びバックアップされた前記データのリンクを有することを特徴とする。
【００３０】
請求項１７記載の発明は、携帯通信端末と、前記携帯通信端末の識別情報を記憶する非接触ＩＣタグカードと、前記非接触ＩＣタグカードから前記識別情報を読み出す非接触ＩＣタグカードリーダと、ネットワークに接続された情報処理端末と、前記携帯通信端末のセキュリティ管理を行う管理サーバと、前記携帯通信端末の接続を制御する基地局と、前記管理サーバは、前記携帯通信端末の管理情報を記憶する記憶手段とを有する携帯電話端末システムの携帯電話端末不正使用防止プログラムであって、前記非接触ＩＣカードリーダによって読み出された前記識別情報を前記情報処理端末から受信したとき、前記管理サーバは、前記記憶手段によって記憶された前記識別情報ごとの前記管理情報に基づいて前記基地局における前記携帯通信端末への接続、及び前記携帯通信端末の操作のロック／ロック解除を制御する処理を有することを特徴とする。
【００３１】
請求項１８記載の発明は、請求項１７記載の携帯電話端末不正使用防止プログラムにおいて、前記管理サーバは、前記携帯通信端末の操作をロックするとき、前記携帯通信端末が保持するデータをバックアップする処理を有することを特徴とする。
【００３２】
請求項１９記載の発明は、請求項１８記載の携帯電話端末不正使用防止プログラムにおいて、前記管理サーバは、前記携帯通信端末の操作をロック解除するとき、前記データを前記携帯通信端末に復旧させる処理を有することを特徴とする。
【００３３】
請求項２０記載の発明は、請求項１７から１９のいずれか１項記載の携帯電話端末不正使用防止プログラムにおいて、前記管理情報は、前記携帯通信端末の操作がロックされているか否かを示すステータス、及びバックアップされた前記データのリンクを有することを特徴とする。
【００３４】
請求項２１記載の発明は、第１の携帯通信端末と、前記携帯通信端末の識別情報を記憶する非接触ＩＣタグカードと、ネットワークに接続された第２の携帯通信端末と、前記携帯通信端末のセキュリティ管理を行う管理サーバと、前記携帯通信端末の接続を制御する基地局と、前記管理サーバは、前記携帯通信端末の管理情報を記憶する記憶手段とを有する携帯電話端末システムの携帯電話端末不正使用防止プログラムであって、前記第２の携帯通信端末によって読み出された前記識別情報を受信したとき、前記管理サーバは、前記記憶手段によって記憶された前記識別情報ごとの前記管理情報に基づいて前記基地局における前記第１の携帯通信端末への接続、及び前記携帯通信端末の操作のロック／ロック解除を制御する処理を有することを特徴とする。
【００３５】
請求項２２記載の発明は、請求項２１記載の携帯電話端末不正使用防止プログラムにおいて、前記管理サーバは、前記第１の携帯通信端末の操作をロックするとき、前記第１の携帯通信端末が保持するデータをバックアップする処理を有することを特徴とする。
【００３６】
請求項２３記載の発明は、請求項２２記載の携帯電話端末不正使用防止プログラムにおいて、前記管理サーバは、前記携帯通信端末の操作をロック解除するとき、前記データを前記携帯通信端末に復旧させる処理を有することを特徴とする。
【００３７】
請求項２４記載の発明は、請求項２１から２３のいずれか１項記載の携帯電話端末不正使用防止プログラムにおいて、前記管理情報は、前記携帯通信端末の操作がロックされているか否かを示すステータス、及びバックアップされた前記データのリンクを有することを特徴とする。
【発明の効果】
【００３８】
本発明は、携帯電話の紛失、盗難時に、ユーザは携帯電話と１対１に対応するＩＤ情報を持つ非接触ＩＣタグカードを読み取らせ、管理サーバは該ＩＤ情報に基づいて紛失等した携帯電話の発信を制限し、かつ携帯電話をロック状態へ遷移させることにより、紛失等した携帯電話の第三者による不正使用や個人情報漏洩の防止をより迅速に行うことができる。特に、ＩＣタグリーダが街中の携帯電話販売店や駅構内に設置されることにより、その効果を飛躍的に向上させることができる。
【発明を実施するための最良の形態】
【００３９】
以下、本発明の一実施形態に係る携帯電話端末システムの構成及び動作について説明する。
【００４０】
まず、本実施形態に係る携帯電話端末システムの構成について図１を用いて説明する。
【００４１】
本実施形態に係る携帯電話端末システムは、非接触ＩＣタグ内蔵携帯電話１０、非接触ＩＣタグカード２０、非接触ＩＣカードリーダ３０、パーソナルコンピュータ（情報処理端末）４０、携帯電話管理サーバ５０、移動交換機６０、構内ネットワーク等同士を接続するインターネット等のネットワーク１００、移動網２００、及び構内ネットワーク３００を有して構成される。なお、非接触ＩＣタグ内蔵携帯電話１０と携帯電話管理サーバ５０とは、移動網２００とネットワーク３００とを介して接続される。また、携帯電話管理サーバ５０と移動交換機６０とは、ネットワーク３００を介して接続される。
【００４２】
非接触ＩＣタグ内蔵携帯電話１０は、携帯電話管理サーバ５０からの遠隔指示により非接触ＩＣタグ内蔵携帯電話を使用不可能な状態するロック機能、及びロック機能による使用不能状態から使用可能な状態に復旧させるロック解除機能を備えている。非接触ＩＣタグ内蔵携帯電話１０には、固有のＩＤ情報が埋め込まれている。
【００４３】
具体的に、ロック機能とは、操作キーのロック、発着信履歴／電話帳情報のバックアップ／消去を行う機能である。ロック解除機能とは、操作キーのロック解除、発着信履歴／電話帳情報のアップロード／復旧を行う機能である。
【００４４】
非接触ＩＣタグカード２０は、非接触ＩＣタグ内蔵携帯電話１０と１対１に対応する固有のＩＤ情報（例：紛失フラグ付きＩＤ情報）が埋め込まれている。
【００４５】
非接触ＩＣタグリーダ３０は、非接触ＩＣタグ内蔵携帯電話１０及び非接触ＩＣタグカード２０からＩＤ情報を読み取る機能を備えている。
【００４６】
パーソナルコンピュータ４０は、非接触ＩＣタグリーダ３０を接続する端子（ＵＳＢなど）を備え、読み取られたＩＤ情報を取り込むためのアプリケーション（以下、ＩＤ情報読取アプリケーションとする）がインストールされている。また、パーソナルコンピュータ４０は、インターネット等のネットワーク１００と接続するためのネットワーク機能を備えている。
【００４７】
携帯電話管理サーバ５０は、非接触ＩＣタグカード２０のＩＤ情報を受信すると、移動交換機６０に対して非接触ＩＣタグ内蔵携帯電話１０からの発信を規制する指示を行う。また、携帯電話管理サーバ５０は、非接触ＩＣタグ内蔵携帯電話１０に対してロック機能を起動・解除する指示を行う。さらに、携帯電話管理サーバ５０は、各非接触ＩＣタグ内蔵携帯電話１０が置かれている状態に関する情報を保持する管理情報ＤＢ（表１に示す）５０ａを有しており、各非接触ＩＣタグ内蔵携帯電話１０の状態の変化に応じてその内容が追記される。
【００４８】
【表１】
2006279572.tif 000003
【００４９】
移動交換機６０は、携帯電話管理サーバ５０からの指示により、非接触ＩＣタグ内蔵携帯電話１０からの発信を規制する機能を有する。
【００５０】
次に、本実施形態に係る携帯電話端末システムにおける動作について詳細に説明する。
【００５１】
まず、非接触ＩＣカード内蔵携帯電話１０を紛失した場合等に、該非接触ＩＣカード内蔵携帯電話１０のロック機能を起動させる処理について図２を用いて説明する。なお、パーソナルコンピュータ４０は、予め起動されているものとする。また、パーソナルコンピュータ４０は、ＡＤＳＬ、ＦＴＴＨなどの高速データ伝送技術によりインターネットにアクセスできる。また、非接触ＩＣタグリーダ３０は、ＵＳＢなどのインターフェースによりパーソナルコンピュータ４０に接続されているものとする。
【００５２】
非接触ＩＣカード内蔵携帯電話１０を紛失・盗難を確認したユーザは、まず、パーソナルコンピュータ４０のＩＤ情報読取アプリケーションを起動し（ステップＡ１）、非接触ＩＣタグリーダ３０により非接触ＩＣタグカード２０に格納されている情報を読み取らせる（ステップＡ２）。具体的には、非接触ＩＣタグリーダ３０は、非接触ＩＣタグカード２０から紛失・盗難を確認した非接触ＩＣタグ内蔵携帯電話１０固有のＩＤ情報を読み出し、パーソナルコンピュータ４０に読み出したＩＤ情報を入力する（ステップＡ２、Ａ３）。
【００５３】
パーソナルコンピュータ４０にＩＤ情報が入力されると、ＩＤ情報の入力がトリガとなりＩＤ情報読取アプリケーションはパーソナルコンピュータ４０の通信機能を利用してインターネット接続を実行し、かつ該ＩＤ情報を携帯電話管理サーバ５０に送信する（ステップＡ４）。
【００５４】
携帯電話管理サーバ５０は、受信したＩＤ情報に対応する非接触ＩＣカード内蔵携帯電話１０の管理情報を読み出し、該非接触ＩＣカード内蔵携帯電話１０が置かれている現在の状態を追記する（ステップＡ５）。具体的には、非接触ＩＣカード内蔵携帯電話１０の紛失・盗難の発生を示す紛失フラグをＯＮした追記内容（１）を、管理情報ＤＢ５０ａに格納される非接触ＩＣカード内蔵携帯電話１０の管理情報に追記する（表１に示す）。また、携帯電話管理サーバ５０は、該ＩＤ情報に対応する非接触ＩＣカード内蔵携帯電話１０からの発信を禁止する指示を移動交換機６０に対して行う（ステップＡ６）。さらに、携帯電話管理サーバ５０は、該ＩＤ情報に対応する非接触ＩＣタグ内蔵携帯電話１０に対してロック機能の起動を指示する（ステップＡ７）。
【００５５】
非接触ＩＣタグ内蔵携帯電話１０は、携帯電話管理サーバ５０からロック機能の起動する指示を受けると、内蔵する非接触ＩＣタグに格納されるＩＤ情報を読み出す（ステップＡ８）。そして、非接触ＩＣタグ内蔵携帯電話１０は、読み出したＩＤ情報を該非接触ＩＣタグ内蔵携帯電話１０が保持する発着信履歴、電話帳情報等に付加して携帯電話管理サーバ５０に転送してバックアップする。次に、非接触ＩＣタグ内蔵携帯電話１０は、携帯電話管理サーバ５０にバックアップした情報を自機から消去すると同時に、ロック機能を起動する（ステップＡ９）。なお、ＩＤ情報が付加された発着信履歴、電話帳情報等を受け取った携帯電話管理サーバ５０は、該ＩＤ情報に対応する非接触ＩＣタグ内蔵携帯電話１０の管理情報に現在の情報を追記する。具体的には、非接触ＩＣカード内蔵携帯電話１０のロック機能の起動・解除を示す携帯電話ステータスをロック（閉塞）した追記内容（２）を、管理情報ＤＢ５０ａに格納される非接触ＩＣカード内蔵携帯電話１０の管理情報に追記する（表１に示す）。
【００５６】
以上の処理により、非接触ＩＣタグ内蔵携帯電話１０の紛失・盗難が発生した場合に該非接触ＩＣタグ内蔵携帯電話１０の第三者による不正使用を防止することができる。
【００５７】
次に、紛失・盗難していた非接触ＩＣタグ内蔵携帯電話１０を回収できた場合に、該非接触ＩＣタグ内蔵携帯電話１０のロック状態を解除し、携帯電話管理サーバ５０にバックアップした情報を再び非接触ＩＣタグ内蔵携帯電話１０に格納する処理について図３を用いて説明する。
【００５８】
紛失等していた非接触ＩＣカード内蔵携帯電話１０を回収したユーザは、まず、パーソナルコンピュータ４０のＩＤ情報読取アプリケーションを起動する（ステップＢ１）。また、回収した非接触ＩＣカード内蔵携帯電話１０が内蔵する非接触ＩＣカードに格納されるＩＤ情報を非接触ＩＣタグリーダ３０に読み取らせる（ステップＢ２）。
【００５９】
非接触ＩＣタグリーダ３０は、パーソナルコンピュータ４０に読み出したＩＤ情報を入力する（ステップＢ３）。パーソナルコンピュータ４０にＩＤ情報が入力されると、ＩＤ情報の入力がトリガとなりＩＤ情報読取アプリケーションはパーソナルコンピュータ４０の通信機能を利用してインターネット接続を実行し、かつ該ＩＤ情報を携帯電話管理サーバ５０に送信する（ステップＢ４）。
【００６０】
携帯電話管理サーバ５０は、受信したＩＤ情報に対応する非接触ＩＣカード内蔵携帯電話１０の管理情報を読み出し、該非接触ＩＣカード内蔵携帯電話１０が置かれている現在の状態を追記する（ステップＢ５）。具体的には、非接触ＩＣカード内蔵携帯電話１０の紛失・盗難の発生を示す紛失フラグをＯＦＦした追記内容（３）を、管理情報ＤＢ５０ａに格納される非接触ＩＣカード内蔵携帯電話１０の管理情報に追記する（表１に示す）。また、携帯電話管理サーバ５０は、該ＩＤ情報に対応する非接触ＩＣカード内蔵携帯電話１０からの発信を許可する指示を移動交換機６０に対して行う（ステップＢ６）。さらに、携帯電話管理サーバ５０は、該ＩＤ情報に対応する非接触ＩＣタグ内蔵携帯電話１０に対してロック機能の解除を指示する（ステップＢ７）。
【００６１】
非接触ＩＣタグ内蔵携帯電話１０は、携帯電話管理サーバ５０からロック機能の解除する指示を受けると、内蔵する非接触ＩＣタグに格納されるＩＤ情報を読み出し（ステップＢ８）、該ＩＤ情報に対応する非接触ＩＣタグ内蔵携帯電話１０の発着信履歴、電話帳情報等の取得を携帯電話管理サーバ５０に要求する（ステップＢ９）。
【００６２】
携帯電話管理サーバ５０は、バックアップしている発着信履歴、電話帳情報等を非接触ＩＣタグ内蔵携帯電話１０に対して送信する（ステップＢ１０）。携帯電話管理サーバ５０から発着信履歴、電話帳情報等を受信すると、非接触ＩＣタグ内蔵携帯電話１０は再びそれらの情報を自機内に格納し、ロック機能を解除する（ステップＢ１１）。なお、非接触ＩＣタグ内蔵携帯電話１０のロック機能が解除されると、その旨が携帯電話管理サーバ５０に通知される。通知を受けた携帯電話管理サーバ５０は、該ＩＤ情報に対応する非接触ＩＣタグ内蔵携帯電話１０の管理情報に現在の情報を追記する。具体的には、非接触ＩＣカード内蔵携帯電話１０のロック機能の起動・解除を示す携帯電話ステータスをロック解除（通常運用）した追記内容（４）を、管理情報ＤＢ５０ａに格納される非接触ＩＣカード内蔵携帯電話１０の管理情報に追記する（表１に示す）。
【００６３】
上記の処理によれば、紛失等した非接触ＩＣタグ内蔵携帯電話１０を回収した場合に、紛失前に非接触ＩＣタグ内蔵携帯電話１０が有していた機能を迅速かつ確実に復旧させることができる。
【００６４】
以上のように、本実施形態に係る携帯電話端末システムによれば、携帯電話の紛失、盗難時に、ユーザは携帯電話と１対１に対応するＩＤ情報を持つ非接触ＩＣタグカードを読み取らせる作業を行うだけで、不正使用や個人情報漏洩の防止をより迅速に行うことができる。特に、ＩＣタグリーダが街中の携帯電話販売店や駅構内に設置されることにより、その効果を飛躍的に向上させることができる。
【実施例１】
【００６５】
次に、他の実施例について図４から６を用いて詳細に説明する。
【００６６】
本実施例の携帯電話端末システムは、図４に示すように、ＩＣタグリーダ３０及びパーソナルコンピュータ４０を有さず、非接触ＩＣタグ内蔵携帯電話１１を有する点において上述の携帯電話端末システムと異なる。非接触ＩＣタグ内蔵携帯電話１１にはＩＤ情報読取アプリケーションがインストールされているものとする。なお、他の構成については、上述の実施形態に係る携帯電話端末システムと同様であるため、説明を省略する。
【００６７】
次に、本実施形態に係る携帯電話端末システムにおける動作について詳細に説明する。
【００６８】
まず、非接触ＩＣカード内蔵携帯電話１０を紛失した場合等に、該非接触ＩＣカード内蔵携帯電話１０のロック機能を起動させる処理について図５を用いて説明する。
【００６９】
非接触ＩＣカード内蔵携帯電話１０を紛失・盗難を確認したユーザは、まず、家族、友人等が有する非接触ＩＣタグ内蔵携帯電話１１のＩＤ情報読取アプリケーションを起動し（ステップＣ１）、非接触ＩＣタグカード２０を非接触ＩＣタグ内蔵携帯電話１１にかざして格納されている情報を読み取らせる（ステップＣ２）。具体的には、非接触ＩＣタグ内蔵携帯電話１１は、非接触ＩＣタグカード２０から紛失・盗難を確認した非接触ＩＣタグ内蔵携帯電話１０固有のＩＤ情報を読み出し、非接触ＩＣタグ内蔵携帯電話１１に読み出したＩＤ情報を入力する（ステップＣ２、Ｃ３）。
【００７０】
非接触ＩＣタグ内蔵携帯電話１１にＩＤ情報が入力されると、ＩＤ情報の入力がトリガとなりＩＤ情報読取アプリケーションは非接触ＩＣタグ内蔵携帯電話１１の通信機能を利用してインターネット接続を実行し、かつ該ＩＤ情報を携帯電話管理サーバ５０に送信する（ステップＣ４）。
【００７１】
携帯電話管理サーバ５０は、受信したＩＤ情報に対応する非接触ＩＣカード内蔵携帯電話１０の管理情報を読み出し、該非接触ＩＣカード内蔵携帯電話１０が置かれている現在の状態を追記する（ステップＣ５）。具体的には、非接触ＩＣカード内蔵携帯電話１０の紛失・盗難の発生を示す紛失フラグをＯＮした追記内容（１）を、管理情報ＤＢ５０ａに格納される非接触ＩＣカード内蔵携帯電話１０の管理情報に追記する（表２に示す）。また、携帯電話管理サーバ５０は、該ＩＤ情報に対応する非接触ＩＣカード内蔵携帯電話１０からの発信を禁止する指示を動交換機６０に対して行う（ステップＣ６）。さらに、携帯電話管理サーバ５０は、該ＩＤ情報に対応する非接触ＩＣタグ内蔵携帯電話１０に対してロック機能の起動を指示する（ステップＣ７）。
【００７２】
【表２】
2006279572.tif 000004
【００７３】
非接触ＩＣタグ内蔵携帯電話１０は、携帯電話管理サーバ５０からロック機能の起動する指示を受けると、内蔵する非接触ＩＣタグに格納されるＩＤ情報を読み出す（ステップＣ８）。そして、非接触ＩＣタグ内蔵携帯電話１０は、読み出したＩＤ情報を該非接触ＩＣタグ内蔵携帯電話１０が保持する発着信履歴、電話帳情報等に付加して携帯電話管理サーバ５０に転送してバックアップする。次に、非接触ＩＣタグ内蔵携帯電話１０は、携帯電話管理サーバ５０にバックアップした情報を自機から消去すると同時に、ロック機能を起動する（ステップＣ９）。なお、ＩＤ情報が付加された発着信履歴、電話帳情報等を受け取った携帯電話管理サーバ５０は、該ＩＤ情報に対応する非接触ＩＣタグ内蔵携帯電話１０の管理情報に現在の情報を追記する。具体的には、非接触ＩＣカード内蔵携帯電話１０のロック機能の起動・解除を示す携帯電話ステータスをロック（閉塞）した追記内容（２）を、管理情報ＤＢ５０ａに格納される非接触ＩＣカード内蔵携帯電話１０の管理情報に追記する（表２に示す）。
【００７４】
以上の処理により、非接触ＩＣタグ内蔵携帯電話１０の紛失・盗難が発生した場合に該非接触ＩＣタグ内蔵携帯電話１０の第三者による不正使用を防止することができる。
【００７５】
次に、紛失・盗難していた非接触ＩＣタグ内蔵携帯電話１０を回収できた場合に、該非接触ＩＣタグ内蔵携帯電話１０のロック状態を解除し、携帯電話管理サーバ５０にバックアップした情報を再び非接触ＩＣタグ内蔵携帯電話１０に格納する処理について図６を用いて説明する。
【００７６】
紛失等していた非接触ＩＣカード内蔵携帯電話１０を回収したユーザは、まず、非接触ＩＣタグ内蔵携帯電話１１のＩＤ情報読取アプリケーションを起動する（ステップＤ１）。また、回収した非接触ＩＣカード内蔵携帯電話１０が内蔵する非接触ＩＣカードに格納されるＩＤ情報を非接触ＩＣ内蔵携帯電話１１に読み取らせる（ステップＤ２、Ｄ３）。そして、ＩＤ情報の読み取りがトリガとなりＩＤ情報読取アプリケーションは、非接触ＩＣタグ内蔵携帯電話１１の通信機能を利用してインターネット接続を実行し、かつ該ＩＤ情報を携帯電話管理サーバ５０に送信する（ステップＤ４）。
【００７７】
携帯電話管理サーバ５０は、受信したＩＤ情報に対応する非接触ＩＣカード内蔵携帯電話１０の管理情報を読み出し、該非接触ＩＣカード内蔵携帯電話１０が置かれている現在の状態を追記する（ステップＤ５）。具体的には、非接触ＩＣカード内蔵携帯電話１０の紛失・盗難の発生を示す紛失フラグをＯＦＦした追記内容（３）を、管理情報ＤＢ５０ａに格納される非接触ＩＣカード内蔵携帯電話１０の管理情報に追記する（表２に示す）。また、携帯電話管理サーバ５０は、該ＩＤ情報に対応する非接触ＩＣカード内蔵携帯電話１０からの発信を許可する指示を移動交換機６０に対して行う（ステップＤ６）。さらに、携帯電話管理サーバ５０は、該ＩＤ情報に対応する非接触ＩＣタグ内蔵携帯電話１０に対してロック機能の解除を指示する（ステップＤ７）。
【００７８】
非接触ＩＣタグ内蔵携帯電話１０は、携帯電話管理サーバ５０からロック機能の解除する指示を受けると、内蔵する非接触ＩＣタグに格納されるＩＤ情報を読み出し（ステップＤ８）、該ＩＤ情報に対応する非接触ＩＣタグ内蔵携帯電話１０の発着信履歴、電話帳情報等の取得を携帯電話管理サーバ５０に要求する（ステップＤ９）。
【００７９】
携帯電話管理サーバ５０は、バックアップしている発着信履歴、電話帳情報等を非接触ＩＣタグ内蔵携帯電話１０に対して送信する（ステップＤ１０）。携帯電話管理サーバ５０から発着信履歴、電話帳情報等を受信すると、非接触ＩＣタグ内蔵携帯電話１０は再びそれらの情報を自機内に格納し、ロック機能を解除する（ステップＤ１１）。なお、非接触ＩＣタグ内蔵携帯電話１０のロック機能が解除されると、その旨が携帯電話管理サーバ５０に通知される。通知を受けた携帯電話管理サーバ５０は、該ＩＤ情報に対応する非接触ＩＣタグ内蔵携帯電話１０の管理情報に現在の情報を追記する。具体的には、非接触ＩＣカード内蔵携帯電話１０のロック機能の起動・解除を示す携帯電話ステータスをロック解除（通常運用）した追記内容（４）を、管理情報ＤＢ５０ａに格納される非接触ＩＣカード内蔵携帯電話１０の管理情報に追記する（表２に示す）。
【００８０】
上記の処理によれば、紛失等した非接触ＩＣタグ内蔵携帯電話１０を回収した場合に、紛失前に非接触ＩＣタグ内蔵携帯電話１０が有していた機能を迅速かつ確実に復旧させることができる。
【００８１】
以上のように、本実施例に係る携帯電話端末システムによれば、非接触ＩＣタグリーダ及びパーソナルコンピュータを用いずに、携帯電話の紛失、盗難時に、ユーザは携帯電話と１対１に対応するＩＤ情報を持つ非接触ＩＣタグカードを携帯電話に読み取らせる作業を行うだけで、不正使用や個人情報漏洩の防止をより迅速に行うことができる。
【図面の簡単な説明】
【００８２】
【図１】本実施形態に係る携帯電話端末システムの構成を示すブロック図である。
【図２】携帯電話端末を紛失等した場合における本システムの処理を示すシーケンス図である。
【図３】携帯電話端末が回収された場合における本システムの処理を示すシーケンス図である。
【図４】実施例１に係る携帯電話端末システムの構成を示すブロック図である。
【図５】携帯電話端末を紛失等した場合における本システムの処理を示すシーケンス図である。
【図６】携帯電話端末が回収された場合における本システムの処理を示すシーケンス図である。
【符号の説明】
【００８３】
１０、１１    非接触ＩＣタグ内蔵携帯電話
２０    非接触ＩＣタグカード
３０    非接触ＩＣタグリーダ
４０    パーソナルコンピュータ
５０    携帯電話管理サーバ
５０ａ    管理情報ＤＢ
６０    移動交換機
【図１】
2006279572.tif 000005
【図２】
2006279572.tif 000006
【図３】
2006279572.tif 000007
【図４】
2006279572.tif 000008
【図５】
2006279572.tif 000009
【図６】
2006279572.tif 000010